(57)【要約】【課題】表面材、中間材及び裏面材は、ジグザク状に連続して展開することができ、表面材の表面及び裏面、中間材の表面及び裏面、裏面材の表面を印刷面として使用することができ、複数個の印刷層が露呈表示され、ラベル表示の表示面積を増大することができ、さらに、表面材、中間材及び裏面材を各粘着剤層及び各剥離層により元の積層状態に戻すことができ、表面材、中間材及び裏面材を複数回開閉することもできる。【解決手段】表面材Ａ、中間材Ｂ及び裏面材Ｃを多層状に積層してなり、表面材裏面の非粘着部Ｒに対して反対位置の粘着剤層Ｎと中間材表面の非剥離剤層部Ｓとは粘着剤層からなる粘着部Ｇにより粘着され、中間材裏面の非粘着部に対して反対位置の粘着剤層と裏面材表面の非剥離剤層部とは粘着剤層からなる粘着部により粘着され、各非粘着部と粘着部とは積層方向に交互に形成されてなる。【選択図】図５
2015004938.tif 000002
【特許請求の範囲】
【請求項１】
表面材、中間材及び裏面材を多層状に積層してなり、上記表面材にあっては、基材の表面に印刷層が形成され、基材の裏面に粘着剤層、該粘着剤層上の一部を被覆層で覆った非粘着部及び印刷層が形成され、上記中間材にあっては、基材の表面に印刷層及び非剥離剤層部を除く剥離層が形成され、基材の裏面に粘着剤層、該粘着剤層上の一部を被覆層で覆った非粘着部及び印刷層が形成され、上記裏面材にあっては、基材の表面に印刷層及び非剥離剤層部を除く剥離層が形成され、基材の裏面に粘着剤層が形成されてなり、上記表面材裏面の非粘着部に対して反対位置の粘着剤層と上記中間材表面の非剥離剤層部とは該粘着剤層からなる粘着部により粘着され、該中間材裏面の非粘着部に対して反対位置の粘着剤層と上記裏面材表面の非剥離剤層部とは該粘着剤層からなる粘着部により粘着され、上記各非粘着部と上記粘着部とは積層方向に交互に形成されてなることを特徴とする多層ラベル。
【請求項２】
表面材、複数の中間材及び裏面材を多層状に積層してなり、上記表面材にあっては、基材の表面に印刷層が形成され、基材の裏面に粘着剤層、該粘着剤層上の一部を被覆層で覆った非粘着部及び印刷層が形成され、上記複数の中間材のうちの最上位の中間材にあっては、基材の表面に印刷層及び非剥離剤層部を除く剥離層が形成され、基材の裏面に粘着剤層、該粘着剤層上の一部を被覆層で覆った非粘着部及び印刷層が形成され、上記最上位の中間材の下位の複数の中間材及びさらに下位の複数の中間材にあっては、基材の表面に印刷層及び非剥離剤層部を除く剥離層が形成され、基材の裏面に粘着剤層、該粘着剤層上の一部を被覆層で覆った非粘着部及び印刷層が形成され、上記裏面材にあっては、基材の表面に印刷層及び非剥離剤層部を除く剥離層が形成され、基材の裏面に粘着剤層が形成されてなり、上記表面材裏面の非粘着部に対して反対位置の粘着剤層と上記最上位の中間材表面の非剥離剤層部とは該粘着剤層からなる粘着部により粘着され、最上位の中間材裏面の非粘着部に対して反対位置の粘着剤層と下位の中間材表面の非剥離剤層部とは該粘着剤層からなる粘着部により粘着され、複数個の上位の中間材裏面の非粘着部に対して反対位置の粘着剤層と下位の中間材表面の非剥離剤層部とは該粘着剤層からなる粘着部により粘着され、最下位の中間材裏面の非粘着部に対して反対位置の粘着剤層と上記裏面材表面の非剥離剤層部とは該粘着剤層からなる粘着部により粘着され、上記各非粘着部と上記粘着部とは積層方向に交互に形成されてなることを特徴とする多層ラベル。
【請求項３】
上記剥離層はシリコンニスであることを特徴とする請求項１又は２記載の多層ラベル。
【発明の詳細な説明】
【技術分野】
【０００１】
本発明は、化粧品、医薬品、食料品、家庭日用品、輸出品等に貼付して使用され、詳しくは、注意書き、成分表示、レシピ、外国語等の文字数、図形、記号等が多用される多層ラベルに関するものである。
【背景技術】
【０００２】
従来、この種の多層ラベルとして、剥離紙から剥がされて容器等の対象物に貼付けられる基材紙と、表面に剥離剤層を有していて折り線により互いに複数層の重合辺に折り畳まれる折り重ね紙と、この折り重ね紙の各重合辺における前記剥離剤層に着脱可能に貼付けられる各重合辺と対応する複数枚の補助ラベルとからなり、折り重ね紙は折り畳まれた外側重合辺の表面に対象物の内容を表示する本体ラベルが印刷されていて、折り重ね紙の折り畳まれた中間部重合辺の裏面上端が前記基材紙の上端に部分的に接着され、前記外側重合辺の裏面下端が前記基材紙下端に点接着されている構造のものが知られている。
【先行技術文献】
【特許文献】
【０００３】
【特許文献１】実用新案登録第３００７２４９号
【発明の概要】
【発明が解決しようとする課題】
【０００４】
しかしながら上記従来構造の場合、積層構造が複雑となり易く、製作も面倒となり易く、それだけ、製作コストの低減を図ることが困難となることがあるという不都合を有している。
【課題を解決するための手段】
【０００５】
本発明はこれらの不都合を解決することを目的とするもので、本発明のうちで、請求項１記載の発明は、表面材、中間材及び裏面材を多層状に積層してなり、上記表面材にあっては、基材の表面に印刷層が形成され、基材の裏面に粘着剤層、該粘着剤層上の一部を被覆層で覆った非粘着部及び印刷層が形成され、上記中間材にあっては、基材の表面に印刷層及び非剥離剤層部を除く剥離層が形成され、基材の裏面に粘着剤層、該粘着剤層上の一部を被覆層で覆った非粘着部及び印刷層が形成され、上記裏面材にあっては、基材の表面に印刷層及び非剥離剤層部を除く剥離層が形成され、基材の裏面に粘着剤層が形成されてなり、上記表面材裏面の非粘着部に対して反対位置の粘着剤層と上記中間材表面の非剥離剤層部とは該粘着剤層からなる粘着部により粘着され、該中間材裏面の非粘着部に対して反対位置の粘着剤層と上記裏面材表面の非剥離剤層部とは該粘着剤層からなる粘着部により粘着され、上記各非粘着部と上記粘着部とは積層方向に交互に形成されてなることを特徴とする多層ラベルにある。
【０００６】
又、請求項２記載の発明は、表面材、複数の中間材及び裏面材を多層状に積層してなり、上記表面材にあっては、基材の表面に印刷層が形成され、基材の裏面に粘着剤層、該粘着剤層上の一部を被覆層で覆った非粘着部及び印刷層が形成され、上記複数の中間材のうちの最上位の中間材にあっては、基材の表面に印刷層及び非剥離剤層部を除く剥離層が形成され、基材の裏面に粘着剤層、該粘着剤層上の一部を被覆層で覆った非粘着部及び印刷層が形成され、上記最上位の中間材の下位の複数の中間材及びさらに下位の複数の中間材にあっては、基材の表面に印刷層及び非剥離剤層部を除く剥離層が形成され、基材の裏面に粘着剤層、該粘着剤層上の一部を被覆層で覆った非粘着部及び印刷層が形成され、上記裏面材にあっては、基材の表面に印刷層及び非剥離剤層部を除く剥離層が形成され、基材の裏面に粘着剤層が形成されてなり、上記表面材裏面の非粘着部に対して反対位置の粘着剤層と上記最上位の中間材表面の非剥離剤層部とは該粘着剤層からなる粘着部により粘着され、最上位の中間材裏面の非粘着部に対して反対位置の粘着剤層と下位の中間材表面の非剥離剤層部とは該粘着剤層からなる粘着部により粘着され、複数個の上位の中間材裏面の非粘着部に対して反対位置の粘着剤層と下位の中間材表面の非剥離剤層部とは該粘着剤層からなる粘着部により粘着され、最下位の中間材裏面の非粘着部に対して反対位置の粘着剤層と上記裏面材表面の非剥離剤層部とは該粘着剤層からなる粘着部により粘着され、上記各非粘着部と上記粘着部とは積層方向に交互に形成されてなることを特徴とする多層ラベルにある。
【０００７】
又、請求項３記載の発明は、上記剥離層はシリコンニスであることを特徴とするものである。
【発明の効果】
【０００８】
本発明は上述の如く、請求項１記載の発明にあっては、表面材と中間材及び裏面材からなる多層ラベルの裏面材を各種商品や資材、印刷物等に貼着して使用することになり、この多層ラベルの表面材の非粘着部を摘んで持ち上げると、表面材は非粘着部から表面材と中間材との粘着部を折曲部位として粘着剤層と剥離層との界面で剥離され、更に、表面材を持ち上げると、中間材は非粘着部から中間材と裏面材との粘着部を折曲部位として粘着剤層と剥離層との界面で剥離され、上記各非粘着部と上記粘着部とは積層方向に交互に形成されているので、表面材、中間材及び裏面材は、ジグザク状に連続して展開することができ、ラベル表示の斬新性を得ることができ、表面材の表面及び裏面、中間材の表面及び裏面、裏面材の表面を印刷面として使用することができ、複数個の印刷層が露呈表示され、ラベル表示の表示面積を増大することができ、さらに、表面材、中間材及び裏面材を各粘着剤層及び各剥離層により元の積層状態に戻すことができ、表面材、中間材及び裏面材を複数回開閉することもでき、多層ラベルの用途を拡大することができる。
【０００９】
又、請求項２記載の発明にあっては、表面材と複数の中間材及び裏面材からなる多層ラベルの裏面材を各種商品や資材、印刷物等に貼着して使用することになり、この多層ラベルの表面材の非粘着部を摘んで持ち上げると、表面材は非粘着部から表面材と最上位の中間材との粘着部を折曲部位として粘着剤層と剥離層との界面で剥離され、更に、表面材を持ち上げると、最上位の中間材は非粘着部から最上位の中間材と下位の中間材との粘着部を折曲部位として粘着剤層と剥離層との界面で剥離され、更に、表面材を持ち上げると、下位の中間材は非粘着部から下位の中間材とその中間材の下位の中間材との粘着部を折曲部位として粘着剤層と剥離層との界面で剥離され、更に、表面材を持ち上げると、中間材と中間材との間でこれが繰り返され、更に、表面材を持ち上げると、最下位の中間材は非粘着部から最下位の中間材と裏面材との粘着部を折曲部位として粘着剤層と剥離層との界面で剥離され、上記各非粘着部と上記粘着部とは積層方向に交互に形成されているので、表面材、複数の中間材及び裏面材は、ジグザク状に連続して展開することができ、ラベル表示の斬新性を得ることができ、表面材の表面及び裏面、複数の中間材の表面及び裏面、裏面材の表面の複数面を印刷面として使用することができ、複数個の印刷層が露呈表示され、ラベル表示の表示面積を増大することができ、表面材、複数の中間材及び裏面材を各粘着剤層及び各剥離層により元の積層状態に戻すこともでき、表面材、中間材及び裏面材を複数回開閉することもでき、多層ラベルの用途を拡大することができる。
【００１０】
又、請求項３記載の発明にあっては、剥離層としてシリコンニスが用いられているから、粘着剤層と剥離層との再剥離及び再粘着性を高めることができる。
【図面の簡単な説明】
【００１１】
【図１】本発明の実施の形態例の正面図である。
【図２】本発明の実施の形態例の説明断面図である。
【図３】本発明の実施の形態例の説明断面図である。
【図４】本発明の実施の形態例の説明斜視図である。
【図５】本発明の実施の形態例の説明斜視図である。
【図６】本発明の実施の形態例の説明斜視図である。
【発明を実施するための形態】
【００１２】
図１乃至図６は本発明の実施の形態例を示し、図１、図２の如く、表面材Ａ、複数の中間材Ｂ・・、この場合、２枚の中間材Ｂ・Ｂ及び裏面材Ｃを多層状に積層してなり、図３の如く、上記表面材Ａにあっては、例えば、発泡ＰＥＴからなる基材Ｐの表面に印刷層Ｋが形成され、基材Ｐの裏面に溶剤強粘の粘着剤層Ｎ、粘着剤層Ｎ上の一部を被覆層Ｔで覆った三日月形状の非粘着部Ｒ（いわゆる糊殺し）及び印刷層Ｋが形成され、又、上記複数の中間材Ｂ・・のうちの最上位の中間材Ｂにあっては、この場合、２枚の中間材Ｂ・Ｂの上位の中間材Ｂにあっては、基材Ｐの表面に印刷層Ｋ及び三日月形状の非剥離剤層部Ｓを除く剥離層Ｈが形成され、この場合、剥離層Ｈとしてシリコンニスが用いられ、基材Ｐの裏面に粘着剤層Ｎ、粘着剤層Ｎ上の一部を被覆層Ｔで覆った三日月形状の非粘着部Ｒ及び印刷層Ｋが形成され、上記上位の中間材Ｂの下位の中間材Ｂにあっては、基材Ｐの表面に印刷層Ｋ及び非剥離剤層部Ｓを除く剥離層Ｈが形成され、基材Ｐの裏面に粘着剤層Ｎ、粘着剤層Ｎ上の一部を被覆層Ｔで覆った三日月形状の非粘着部Ｒ及び印刷層Ｋが形成され、又、上記裏面材Ｃにあっては、基材Ｐの表面に印刷層Ｋ及び非剥離剤層部Ｓを除く剥離層Ｈが形成され、基材Ｐの裏面に粘着剤層Ｎが形成されてなり、上記表面材Ａ裏面の非粘着部Ｒに対して反対位置の粘着剤層Ｎと上記上位の中間材Ｂ表面の非剥離剤層部Ｓとは粘着剤層Ｎからなる三日月形状の粘着部Ｇにより粘着され、上位の中間材Ｂ裏面の非粘着部Ｒに対して反対位置の粘着剤層Ｎと下位の中間材Ｂ表面の非剥離剤層部Ｓとは粘着剤層Ｎからなる粘着部Ｇにより粘着され、下位の中間材Ｂ裏面の非粘着部Ｒに対して反対位置の粘着剤層Ｎと上記裏面材Ｃ表面の非剥離剤層部Ｓとは粘着剤層Ｎからなる粘着部Ｇにより粘着され、上記各非粘着部Ｒ・・と上記粘着部Ｇ・・とは積層方向に交互に形成された構造となっている。
【００１３】
この実施の形態例は上記構成であるから、図４、図６の如く、表面材Ａと２枚の中間材Ｂ・Ｂ及び裏面材Ｃからなる多層ラベルＬの裏面材Ｃを離型台紙Ｆから剥離して各種商品Ｑや資材、印刷物等に貼着して使用することになり、この図４（ａ）の多層ラベルＬの表面材Ａの非粘着部Ｒを摘んで持ち上げると、図４（ｂ）の如く、表面材Ａは非粘着部Ｒから表面材Ａと上位の中間材Ｂとの粘着部Ｇを折曲部位として粘着剤層Ｎと剥離層Ｈとの界面で剥離され、更に、表面材Ａを持ち上げると、図４（ｃ）の如く、上位の中間材Ｂは非粘着部Ｒから上位の中間材Ｂと下位の中間材Ｂとの粘着部Ｇを折曲部位として粘着剤層Ｎと剥離層Ｈとの界面で剥離され、更に、表面材Ａを持ち上げると、図４（ｄ）の如く、下位の中間材Ｂは非粘着部Ｒから下位の中間材Ｂと裏面材Ｃとの粘着部Ｇを折曲部位として粘着剤層Ｎと剥離層Ｈとの界面で剥離され、上記各非粘着部Ｒ・・と上記粘着部Ｇ・・とは積層方向に交互に形成されているので、図５の如く、表面材Ａと２枚の中間材Ｂ・Ｂ及び裏面材Ｃは、ジグザク状に連続して展開することができ、ラベル表示の斬新性を得ることができ、表面材Ａの表面及び裏面、２枚の中間材Ｂ・Ｂの表面及び裏面、裏面材Ｃの表面の七面を印刷面として使用することができ、複数個の印刷層Ｋ・・が露呈表示され、ラベル表示の表示面積を増大することができ、表面材Ａ、中間材Ｂ・Ｂ及び裏面材Ｃを各粘着剤層Ｎ及び各剥離層Ｈにより元の積層状態に戻すこともでき、表面材Ａ、中間材Ｂ・Ｂ及び裏面材Ｃを複数回開閉することもでき、多層ラベルＬの用途を拡大することができる。
【００１４】
この場合、剥離層Ｈとしてシリコンニスが用いられているから、粘着剤層Ｎと剥離層Ｈとの再剥離及び再粘着性を高めることができる。
【００１５】
尚、本発明は上記実施の形態例に限られるものではなく、例えば、請求項１の発明に対応する実施の形態例として、中間材Ｂを単一個とし、表面材Ａ、単数の中間材Ｂ及び裏面材Ｃからなる多層ラベルＬとすることもあり、この場合、上記実施の形態例と比較して印刷面が五面となるものの、上記実施の形態例と同様な作用効果を得ることができる。
【００１６】
又、例えば、請求項２の発明に対応する実施の形態例として、中間材Ｂの数を上記形態例の中間材Ｂの数より多い複数の中間材Ｂ・・とし、表面材Ａ、複数の中間材Ｂ・・及び裏面材Ｃからなる多層ラベルＬとすることもあり、この場合、上記実施の形態例と同様な作用効果を得ることができると共に印刷面を更に増加させることができる。
【００１７】
又、上記基材Ｐ、剥離層Ｈ、印刷層Ｋ、非剥離剤層部Ｓ、非粘着部Ｒ、粘着剤層Ｎ、粘着部Ｇの形態、材質や種類等は適宜設計して変更されるものである。
【００１８】
以上、所期の目的を充分達成することができる。
【符号の説明】
【００１９】
Ｌ    多層ラベル
Ａ    表面材
Ｂ    中間材
Ｃ    裏面材
Ｐ    基材
Ｋ    印刷層
Ｒ    非粘着部
Ｈ    剥離層
Ｓ    非剥離剤層部
Ｎ    粘着剤層
Ｇ    粘着部
Ｔ    被覆層
【図１】
2015004938.tif 000003
【図２】
2015004938.tif 000004
【図３】
2015004938.tif 000005
【図４】
2015004938.tif 000006
【図５】
2015004938.tif 000007
【図６】
2015004938.tif 000008